【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
装置によるワイヤレス通信のための方法であって、
指向性送信アンテナモードを使用して少なくとも１つのワイヤレスデバイスへの送信のために出力されるべき複数のビームフォーミングトレーニングフィールドと、前記少なくとも１つのワイヤレスデバイスが、前記複数のビームフォーミングトレーニングフィールドを受信するために、無指向性受信アンテナモードにあるべきかどうかのインジケーションとを有する第１のフレームを生成することと、
送信のために前記第１のフレームを出力することと
を備える方法。
【請求項２】
前記インジケーションは、前記第１のフレームのヘッダにおいて提供される、請求項１に記載の方法。
【請求項３】
前記装置と前記少なくとも１つのワイヤレスデバイスとの間にリンクを確立するために、ビームフォーミングトレーニングプロシージャを実行することをさらに備え、
ここにおいて、前記第１のフレームは、前記装置と前記少なくとも１つのワイヤレスデバイスとの間に前記リンクを確立した後、送信のために出力される、
請求項１に記載の方法。
【請求項４】
前記ビームフォーミングトレーニングプロシージャは、セクタレベルスイープ（ＳＬＳ）プロシージャを備え、
前記複数のビームフォーミングトレーニングフィールドは、前記ＳＬＳプロシージャの結果に基づく方向において、送信のために出力される、
請求項３に記載の方法。
【請求項５】
前記装置と前記少なくとも１つのワイヤレスデバイスとの間にリンクを確立するために、セクタレベルスイープ（ＳＬＳ）プロシージャを実行することを少なくとも開始することをさらに備え、
ここにおいて、前記第１のフレームは、前記装置と前記少なくとも１つのワイヤレスデバイスとの間にリンクを確立することなく、前記ＳＬＳプロシージャの一部を実行した後に、送信のために出力される、
請求項１に記載の方法。
【請求項６】
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスと前記第２のタイプのデバイスとの両方によって復号可能である、
請求項１に記載の方法。
【請求項７】
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスによって復号可能であるが、前記第２のタイプのデバイスによって復号可能でない、
請求項１に記載の方法。
【請求項８】
前記インジケーションは、前記第１のフレームのスクランブラ初期化フィールドにおける１つまたは複数のビットを介して提供される、請求項１に記載の方法。
【請求項９】
装置によるワイヤレス通信のための方法であって、
ワイヤレスデバイスから、第１のフレームを取得することと、
前記第１のフレームの第１の部分におけるインジケーションに基づいて、前記装置に、前記第１のフレームの第２の部分における複数のビームフォーミングトレーニングフィールドを取得するために、無指向性受信アンテナモードに切り替わることまたは無指向性受信アンテナモードに留まることを行わせることと
を備える方法。
【請求項１０】
前記第１のフレームの前記第１の部分は、ヘッダを備える、請求項９に記載の方法。
【請求項１１】
前記装置と前記ワイヤレスデバイスとの間にリンクを確立するために、ビームフォーミングトレーニングプロシージャを実行することをさらに備え、
ここにおいて、前記第１のフレームは、前記装置と前記ワイヤレスデバイスとの間に前記リンクを確立した後に取得される、
請求項９に記載の方法。
【請求項１２】
前記装置と前記ワイヤレスデバイスとの間にリンクを確立するために、セクタレベルスイープ（ＳＬＳ）プロシージャを実行することを少なくとも開始することをさらに備え、  ここにおいて、前記第１のフレームは、前記装置と前記ワイヤレスデバイスとの間にリンクを確立することなく、前記ＳＬＳプロシージャの一部を実行した後に取得される、
請求項９に記載の方法。
【請求項１３】
ワイヤレス通信のための装置であって、
指向性送信アンテナモードを使用して少なくとも１つのワイヤレスデバイスへの送信のために出力されるべき複数のビームフォーミングトレーニングフィールドと、前記少なくとも１つのワイヤレスデバイスが、前記複数のビームフォーミングトレーニングフィールドを受信するために、無指向性受信アンテナモードにあるべきかどうかのインジケーションとを有する第１のフレームを生成するための手段と、
送信のために前記第１のフレームを出力するための手段と
を備える装置。
【請求項１４】
ワイヤレス通信のための装置であって、
ワイヤレスデバイスから、第１のフレームを取得するための手段と、
前記第１のフレームの第１の部分におけるインジケーションに基づいて、前記装置に、前記第１のフレームの第２の部分における複数のビームフォーミングトレーニングフィールドを取得するために、無指向性受信アンテナモードに切り替わることまたは無指向性受信アンテナモードに留まることを行わせるための手段と
を備える装置。
【請求項１５】
請求項１〜１２のいずれか一項に記載された方法を実行するための命令を備えたコンピュータプログラム。
【手続補正２】
【補正対象書類名】明細書
【補正対象項目名】００６３
【補正方法】変更
【補正の内容】
【００６３】
[0076]特許請求の範囲は、上記に例示された厳密な構成およびコンポーネントに限定されないことが理解されるべきである。様々な修正、変更、および変形が、特許請求の範囲から逸脱することなく、上記で説明された方法および装置の配置、動作および詳細において行われ得る。
以下に本願の出願当初の特許請求の範囲に記載された発明を付記する。
［Ｃ１］
ワイヤレス通信のための装置であって、
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成するように構成された処理システムと、
送信のために前記第１のフレームを出力するように構成された第１のインターフェースと
を備える装置。
［Ｃ２］
前記インジケーションは、前記第１のフレームのヘッダにおいて提供される、Ｃ１に記載の装置。
［Ｃ３］
前記処理システムは、前記装置と前記少なくとも１つのワイヤレスデバイスとの間にリンクを確立するために、ビームフォーミングトレーニングプロシージャを実行するようにさらに構成され、
前記第１のフレームは、前記装置と前記少なくとも１つのワイヤレスデバイスとの間に前記リンクを確立した後、送信のために出力される、
Ｃ１に記載の装置。
［Ｃ４］
前記ビームフォーミングトレーニングプロシージャは、セクタレベルスイープ（ＳＬＳ）プロシージャを備え、
前記１つまたは複数のビームフォーミングトレーニングフィールドは、前記ＳＬＳプロシージャの結果に基づく方向において、送信のために出力される、
Ｃ３に記載の装置。
［Ｃ５］
前記処理システムは、前記装置と前記少なくとも１つのワイヤレスデバイスとの間にリンクを確立するために、セクタレベルスイープ（ＳＬＳ）プロシージャを実行することを少なくとも開始するようにさらに構成され、
前記第１のフレームは、前記装置と前記少なくとも１つのワイヤレスデバイスとの間にリンクを確立することなく、前記ＳＬＳプロシージャの少なくとも一部を実行した後に、送信のために出力される、
Ｃ１に記載の装置。
［Ｃ６］
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスと前記第２のタイプのデバイスとの両方によって復号可能である、
Ｃ１に記載の装置。
［Ｃ７］
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスによって復号可能であるが、前記第２のタイプのデバイスによって復号可能でない、
Ｃ１に記載の装置。
［Ｃ８］
前記インジケーションは、前記第１のフレームのスクランブラ初期化フィールドにおける１つまたは複数のビットを介して提供される、Ｃ１に記載の装置。
［Ｃ９］
ワイヤレス通信のための装置であって、
ワイヤレスデバイスから、第１のフレームを取得するように構成された第１のインターフェースと、
前記第１のフレームの第１の部分におけるインジケーションに基づいて、前記装置に、前記第１のフレームの第２の部分における１つまたは複数のビームフォーミングトレーニングフィールドを取得するために、無指向性受信アンテナモードに切り替わることまたは無指向性受信アンテナモードに留まることを行わせるように構成された処理システムと  を備える装置。
［Ｃ１０］
前記第１のフレームの前記第１の部分は、ヘッダを備える、Ｃ９に記載の装置。
［Ｃ１１］
前記処理システムは、前記装置と前記ワイヤレスデバイスとの間にリンクを確立するために、ビームフォーミングトレーニングプロシージャを実行するようにさらに構成され、  前記第１のフレームは、前記装置と前記ワイヤレスデバイスとの間に前記リンクを確立した後に取得される、
Ｃ９に記載の装置。
［Ｃ１２］
前記処理システムは、前記装置と前記ワイヤレスデバイスとの間にリンクを確立するために、セクタレベルスイープ（ＳＬＳ）プロシージャを実行することを少なくとも開始するようにさらに構成され、
前記第１のフレームは、前記装置と前記ワイヤレスデバイスとの間にリンクを確立することなく、前記ＳＬＳプロシージャの少なくとも一部を実行した後に取得される、
Ｃ９に記載の装置。
［Ｃ１３］
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスと前記第２のタイプのデバイスとの両方によって復号可能である、
Ｃ９に記載の装置。
［Ｃ１４］
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスによって復号可能であるが、前記第２のタイプのデバイスによって復号可能でない、
Ｃ９に記載の装置。
［Ｃ１５］
前記インジケーションは、前記第１のフレームの前記第１の部分のスクランブラ初期化フィールドにおける１つまたは複数のビットを介して取得される、Ｃ９に記載の装置。
［Ｃ１６］
装置によるワイヤレス通信のための方法であって、
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成することと、
送信のために前記第１のフレームを出力することと
を備える方法。
［Ｃ１７］
前記インジケーションは、前記第１のフレームのヘッダにおいて提供される、Ｃ１６に記載の方法。
［Ｃ１８］
前記装置と前記少なくとも１つのワイヤレスデバイスとの間にリンクを確立するために、ビームフォーミングトレーニングプロシージャを実行することをさらに備え、
ここにおいて、前記第１のフレームは、前記装置と前記少なくとも１つのワイヤレスデバイスとの間に前記リンクを確立した後、送信のために出力される、
Ｃ１６に記載の方法。
［Ｃ１９］
前記ビームフォーミングトレーニングプロシージャは、セクタレベルスイープ（ＳＬＳ）プロシージャを備え、
前記１つまたは複数のビームフォーミングトレーニングフィールドは、前記ＳＬＳプロシージャの結果に基づく方向において、送信のために出力される、
Ｃ１８に記載の方法。
［Ｃ２０］
前記装置と前記少なくとも１つのワイヤレスデバイスとの間にリンクを確立するために、セクタレベルスイープ（ＳＬＳ）プロシージャを実行することを少なくとも開始することをさらに備え、
ここにおいて、前記第１のフレームは、前記装置と前記少なくとも１つのワイヤレスデバイスとの間にリンクを確立することなく、前記ＳＬＳプロシージャの少なくとも一部を実行した後に、送信のために出力される、
Ｃ１６に記載の方法。
［Ｃ２１］
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスと前記第２のタイプのデバイスとの両方によって復号可能である、
Ｃ１６に記載の方法。
［Ｃ２２］
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスによって復号可能であるが、前記第２のタイプのデバイスによって復号可能でない、
Ｃ１６に記載の方法。
［Ｃ２３］
前記インジケーションは、前記第１のフレームのスクランブラ初期化フィールドにおける１つまたは複数のビットを介して提供される、Ｃ１６に記載の方法。
［Ｃ２４］
装置によるワイヤレス通信のための方法であって、
ワイヤレスデバイスから、第１のフレームを取得することと、
前記第１のフレームの第１の部分におけるインジケーションに基づいて、前記装置に、前記第１のフレームの第２の部分における１つまたは複数のビームフォーミングトレーニングフィールドを取得するために、無指向性受信アンテナモードに切り替わることまたは無指向性受信アンテナモードに留まることを行わせることと
を備える方法。
［Ｃ２５］
前記第１のフレームの前記第１の部分は、ヘッダを備える、Ｃ２４に記載の方法。
［Ｃ２６］
前記装置と前記ワイヤレスデバイスとの間にリンクを確立するために、ビームフォーミングトレーニングプロシージャを実行することをさらに備え、
ここにおいて、前記第１のフレームは、前記装置と前記ワイヤレスデバイスとの間に前記リンクを確立した後に取得される、
Ｃ２４に記載の方法。
［Ｃ２７］
前記装置と前記ワイヤレスデバイスとの間にリンクを確立するために、セクタレベルスイープ（ＳＬＳ）プロシージャを実行することを少なくとも開始することをさらに備え、  ここにおいて、前記第１のフレームは、前記装置と前記ワイヤレスデバイスとの間にリンクを確立することなく、前記ＳＬＳプロシージャの少なくとも一部を実行した後に取得される、
Ｃ２４に記載の方法。
［Ｃ２８］
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスと前記第２のタイプのデバイスとの両方によって復号可能である、
Ｃ２４に記載の方法。
［Ｃ２９］
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスによって復号可能であるが、前記第２のタイプのデバイスによって復号可能でない、
Ｃ２４に記載の方法。
［Ｃ３０］
前記インジケーションは、前記第１のフレームの前記第１の部分のスクランブラ初期化フィールドにおける１つまたは複数のビットを介して取得される、Ｃ２４に記載の方法。
［Ｃ３１］
ワイヤレス通信のための装置であって、
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成するための手段と、
送信のために前記第１のフレームを出力するための手段と
を備える装置。
［Ｃ３２］
前記インジケーションは、前記第１のフレームのヘッダにおいて提供される、Ｃ３１に記載の装置。
［Ｃ３３］
前記装置と前記少なくとも１つのワイヤレスデバイスとの間にリンクを確立するために、ビームフォーミングトレーニングプロシージャを実行するための手段をさらに備え、  ここにおいて、前記第１のフレームは、前記装置と前記少なくとも１つのワイヤレスデバイスとの間に前記リンクを確立した後、送信のために出力される、
Ｃ３１に記載の装置。
［Ｃ３４］
前記ビームフォーミングトレーニングプロシージャは、セクタレベルスイープ（ＳＬＳ）プロシージャを備え、
前記１つまたは複数のビームフォーミングトレーニングフィールドは、前記ＳＬＳプロシージャの結果に基づく方向において、送信のために出力される、
Ｃ３３に記載の装置。
［Ｃ３５］
前記装置と前記少なくとも１つのワイヤレスデバイスとの間にリンクを確立するために、セクタレベルスイープ（ＳＬＳ）プロシージャを実行することを少なくとも開始するための手段をさらに備え、
ここにおいて、前記第１のフレームは、前記装置と前記少なくとも１つのワイヤレスデバイスとの間にリンクを確立することなく、前記ＳＬＳプロシージャの少なくとも一部を実行した後に、送信のために出力される、
Ｃ３１に記載の装置。
［Ｃ３６］
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスと前記第２のタイプのデバイスとの両方によって復号可能である、
Ｃ３１に記載の装置。
［Ｃ３７］
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスによって復号可能であるが、前記第２のタイプのデバイスによって復号可能でない、
Ｃ３１に記載の装置。
［Ｃ３８］
前記インジケーションは、前記第１のフレームのスクランブラ初期化フィールドにおける１つまたは複数のビットを介して提供される、Ｃ３１に記載の装置。
［Ｃ３９］
ワイヤレス通信のための装置であって、
ワイヤレスデバイスから、第１のフレームを取得するための手段と、
前記第１のフレームの第１の部分におけるインジケーションに基づいて、前記装置に、前記第１のフレームの第２の部分における１つまたは複数のビームフォーミングトレーニングフィールドを取得するために、無指向性受信アンテナモードに切り替わることまたは無指向性受信アンテナモードに留まることを行わせるための手段と
を備える装置。
［Ｃ４０］
前記第１のフレームの前記第１の部分は、ヘッダを備える、Ｃ３９に記載の装置。
［Ｃ４１］
前記装置と前記ワイヤレスデバイスとの間にリンクを確立するために、ビームフォーミングトレーニングプロシージャを実行するための手段をさらに備え、
ここにおいて、前記第１のフレームは、前記装置と前記ワイヤレスデバイスとの間に前記リンクを確立した後に取得される、
Ｃ３９に記載の装置。
［Ｃ４２］
前記装置と前記ワイヤレスデバイスとの間にリンクを確立するために、セクタレベルスイープ（ＳＬＳ）プロシージャを実行することを少なくとも開始するための手段をさらに備え、
ここにおいて、前記第１のフレームは、前記装置と前記ワイヤレスデバイスとの間にリンクを確立することなく、前記ＳＬＳプロシージャの少なくとも一部を実行した後に取得される、
Ｃ３９に記載の装置。
［Ｃ４３］
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスと前記第２のタイプのデバイスとの両方によって復号可能である、
をさらに備える、Ｃ３９に記載の装置。
［Ｃ４４］
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスによって復号可能であるが、前記第２のタイプのデバイスによって復号可能でない、
Ｃ３９に記載の装置。
［Ｃ４５］
前記インジケーションは、前記第１のフレームの前記第１の部分のスクランブラ初期化フィールドにおける１つまたは複数のビットを介して取得される、Ｃ３９に記載の装置。
［Ｃ４６］
ワイヤレス局であって、
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成するように構成された処理システムと、
送信のために前記第１のフレームを送信するように構成された送信機と
を備えるワイヤレス局。
［Ｃ４７］
ワイヤレス局であって、
ワイヤレスデバイスから、第１のフレームを受信するように構成された受信機と、
前記第１のフレームの第１の部分におけるインジケーションに基づいて、前記ワイヤレスデバイスに、前記第１のフレームの第２の部分における１つまたは複数のビームフォーミングトレーニングフィールドを取得するために、無指向性受信アンテナモードに切り替わることまたは無指向性受信アンテナモードに留まることを行わせるように構成された処理システムと
を備えるワイヤレス局。
［Ｃ４８］
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成することと、
送信のために前記第１のフレームを出力することと
のための命令を記憶したコンピュータ可読媒体。
［Ｃ４９］
ワイヤレスデバイスから、第１のフレームを取得することと、
前記第１のフレームの第１の部分におけるインジケーションに基づいて、前記ワイヤレスデバイスに、前記第１のフレームの第２の部分における１つまたは複数のビームフォーミングトレーニングフィールドを取得するために、無指向性受信アンテナモードに切り替わることまたは無指向性受信アンテナモードに留まることを行わせることと
のための命令を記憶したコンピュータ可読媒体。